【手続補正書】
【提出日】平成15年12月25日(2003.12.25)
【手続補正１】
【補正対象書類名】明細書
【補正対象項目名】特許請求の範囲
【補正方法】変更
【補正の内容】
【特許請求の範囲】
【請求項１】
被処理水に過酸化水素とオゾンとを添加、混合して被処理水中の有機物を分解除去する装置において、該装置は、被処理水の流路と、前記流路に過酸化水素を注入する手段と、前記流路にオゾン化ガスを少なくとも二箇所以上で分割注入するための手段と、前記流路の後に未溶解のオゾン化ガスと処理水とを分離して、未溶解のオゾン化ガスを無害分解化して放出する手段と、を備えたことを特徴とする排水の高度処理装置。
【請求項２】
被処理水の流路の断面が円形である請求項１に記載の排水の高度処理装置。
【請求項３】
オゾン化ガスの導入箇所が少なくとも４箇所以上である請求項１または２に記載の排水の高度処理装置。
【請求項４】
被処理水に過酸化水素とオゾンとを添加、混合して被処理水中の有機物を分解除去する方法において、流路に被処理水を通水し、前記流路を流れる被処理水に過酸化水素を注入し、続いて過酸化水素を含み且つ前記流路を流れる被処理水に、少なくとも二箇所以上でオゾン化ガスを分割注入し、前記流路後に未溶解のオゾン化ガスと処理水とを分離して、未溶解のオゾン化ガスを無害分解化して放出することを特徴とする排水の高度処理方法。
【請求項５】
被処理水が加圧され、流路内で被処理水中の有機物の分解が進む請求項４に記載の排水の高度処理方法。
【請求項６】
オゾン化ガスが、あらかじめ定められた量で配分されて分割注入される請求項４または５に記載する排水の高度処理方法。
【請求項７】
オゾン化ガスが、均等配分された注入量で分割注入される請求項６に記載の排水の高度処理方法。
【請求項８】
被処理水にオゾン化ガスが分割注入されるよりも前に、被処理水に対して予定されている過酸化水素注入量の全量を注入する請求項４ないし７のいずれか１項に記載する排水の高度処理方法。
【請求項９】
過酸化水素を含む被処理水とオゾン化ガスとの反応時間が少なくとも８秒以上に設定される請求項４ないし８のいずれか１項に記載の排水の高度処理方法。
【手続補正２】
【補正対象書類名】明細書
【補正対象項目名】０００７
【補正方法】変更
【補正の内容】
【０００７】
【課題を解決するための手段】
本発明者らは上述の課題を解決すべく鋭意研究を行った結果、本発明を完成することができた。
すなわち本発明は、被処理水に過酸化水素とオゾンとを添加、混合して被処理水中の有機物を分解除去する装置において、該装置は、被処理水の流路と、前記流路に過酸化水素を注入する手段と、前記流路にオゾン化ガスを少なくとも二箇所以上で分割注入するための手段と、前記流路の後に未溶解のオゾン化ガスと処理水とを分離して、未溶解のオゾン化ガスを無害分解化して放出する手段と、を備えたことを特徴とする排水の高度処理装置を提供するものである。


【手続補正３】
【補正対象書類名】明細書
【補正対象項目名】００１０
【補正方法】変更
【補正の内容】
【００１０】
さらにまた本発明は、被処理水に過酸化水素とオゾンとを添加、混合して被処理水中の有機物を分解除去する方法において、流路に被処理水を通水し、前記流路を流れる被処理水に過酸化水素を注入し、続いて過酸化水素を含み且つ前記流路を流れる被処理水に、少なくとも二箇所以上でオゾン化ガスを分割注入し、前記流路後に未溶解のオゾン化ガスと処理水とを分離して、未溶解のオゾン化ガスを無害分解化して放出することを特徴とする排水の高度処理方法を提供するものである。


【手続補正４】
【補正対象書類名】明細書
【補正対象項目名】００１２
【補正方法】変更
【補正の内容】
【００１２】
さらに本発明は、オゾン化ガスが、あらかじめ定められた量で配分されて分割注入される前記の排水の高度処理方法を提供するものである。


【手続補正５】
【補正対象書類名】明細書
【補正対象項目名】００１３
【補正方法】変更
【補正の内容】
【００１３】
さらにまた本発明は、オゾン化ガスが、均等配分された注入量で分割注入される前記の排水の高度処理方法を提供するものである。


【手続補正６】
【補正対象書類名】明細書
【補正対象項目名】００１４
【補正方法】変更
【補正の内容】
【００１４】
また本発明は、被処理水にオゾン化ガスが分割注入されるよりも前に、被処理水に対して予定されている過酸化水素注入量の全量を注入する前記の排水の高度処理方法を提供するものである。


【手続補正７】
【補正対象書類名】明細書
【補正対象項目名】００３２
【補正方法】変更
【補正の内容】
【００３２】
【発明の効果】
以上のように請求項１の発明によれば、被処理水に過酸化水素とオゾンとを添加、混合して被処理水中の有機物を分解除去する装置において、該装置は、被処理水の流路と、前記流路に過酸化水素を注入する手段と、前記流路にオゾン化ガスを少なくとも二箇所以上で分割注入するための手段と、前記流路の後に未溶解のオゾン化ガスと処理水とを分離して、未溶解のオゾン化ガスを無害分解化して放出する手段と、を備えているため、単位有機性炭素量を分解除去するために必要なオゾン量（ΔＯ３／ΔＴＯＣ）を低減し、汚濁有機物の分解除去効率が良好で、経済的で実用的な過酸化水素−オゾン化ガス併用による排水の処理方法による水の高度処理を実現できる。また、装置自体もコンパクトにすることができ実用上有利である。


【手続補正８】
【補正対象書類名】明細書
【補正対象項目名】００３５
【補正方法】変更
【補正の内容】
【００３５】
また、請求項４の発明によれば、被処理水に過酸化水素とオゾンとを添加、混合して被処理水中の有機物を分解除去する方法において、流路に被処理水を通水し、前記流路を流れる被処理水に過酸化水素を注入し、続いて過酸化水素を含み且つ前記流路を流れる被処理水に、少なくとも二箇所以上でオゾン化ガスを分割注入し、前記流路後に未溶解のオゾン化ガスと処理水とを分離して、未溶解のオゾン化ガスを無害分解化して放出するため、単位有機性炭素量を分解除去するために必要なオゾン量（ΔＯ３／ΔＴＯＣ）を低減し、汚濁有機物の分解除去効率が良好で、経済的で実用的な過酸化水素−オゾン併用タイプの排水の高度処理方法を提供することができる。


【手続補正９】
【補正対象書類名】明細書
【補正対象項目名】００３７
【補正方法】変更
【補正の内容】
【００３７】
また、請求項６の発明によれば、オゾン化ガスをあらかじめ定めた割合で分配して分割注入されることにより、単位有機性炭素量を分解除去するために必要なオゾン量（ΔＯ３／ΔＴＯＣ）を低減し、汚濁有機物の分解除去効率が良好で、経済的で実用的な過酸化水素併用オゾン処理方法による水の高度処理を実現できる。


【手続補正１０】
【補正対象書類名】明細書
【補正対象項目名】００３８
【補正方法】変更
【補正の内容】
【００３８】
また、請求項７の発明によれば、オゾン化ガスを均等配分された注入量で分割注入するので単位有機性炭素量を分解除去するために必要なオゾン量（ΔＯ３／ΔＴＯＣ）を増加させずに、一層効率よく処理できる。


【手続補正１１】
【補正対象書類名】明細書
【補正対象項目名】００３９
【補正方法】変更
【補正の内容】
【００３９】
また、請求項８の発明によれば、予め被処理水に対して予定されている過酸化水素注入量の全量を注入することにより、必要なオゾン量（ΔＯ３／ΔＴＯＣ）を増加させずに一層効率よく処理できる。